(57)【要約】【課題】災害時に人を避難先へ誘導する照明装置を提供する。【解決手段】照明装置１００ａは、発光部１０３ａと、自装置が設置されている場所に関する情報である環境情報を取得する取得部１０１ａと、災害に関する災害情報を受信するための受信部１０２ａと、前記受信部により災害情報が受信された場合に、前記取得部により取得された前記環境情報に基づき、自装置が設置されている場所が所定条件を満たすか否かを判別して、判別結果に応じて前記発光部の点消灯に係る制御を行う制御部１０５ａとを備える。【選択図】図２
2015090677.tif 000002
【特許請求の範囲】
【請求項１】
発光部と、
自装置が設置されている場所に関する情報である環境情報を取得する取得部と、
災害に関する災害情報を受信するための受信部と、
前記受信部により前記災害情報が受信された場合に、前記取得部により取得された前記環境情報に基づき、自装置が設置されている場所が所定条件を満たすか否かを判別して、判別結果に応じて前記発光部の点消灯に係る制御を行う制御部とを備える
照明装置。
【請求項２】
前記制御部は、自装置が設置されている場所が、前記所定条件を満たすと判別したときには前記発光部を特定態様で発光させ、前記所定条件を満たさないと判別したときには前記発光部を消灯させるように、点消灯に係る前記制御を行う
請求項１記載の照明装置。
【請求項３】
前記災害情報は、津波に関する情報であり、
前記環境情報は、前記場所の高度に関する情報を含み、
前記制御部が判別に用いる前記所定条件は、津波が到達しない高度の領域を含む場所であるという条件である
請求項２記載の照明装置。
【請求項４】
前記災害情報は、津波の位置に関する位置情報と津波の強度に関する強度情報とを含み、
前記制御部は、自装置が設置されている場所が所定条件を満たすと判別したときにおいて、前記位置情報、前記強度情報及び前記環境情報に基づいて発光態様を特定し、特定した発光態様で前記発光部を発光させる
請求項３記載の照明装置。
【請求項５】
前記災害情報は、災害に関する位置情報を含み、
前記制御部は、前記位置情報にも基づいて前記判別を行う
請求項２記載の照明装置。
【請求項６】
前記災害情報は、災害に関する強度情報を含み、
前記制御部は、前記強度情報にも基づいて前記判別を行う
請求項２記載の照明装置。
【請求項７】
前記災害情報は、災害に関する時間情報を含み、
前記制御部は、前記発光部を発光させるときに、前記時間情報に基づいて特定した発光態様で発光させる
請求項２記載の照明装置。
【請求項８】
更に、情報を送信するための送信部を備え、
前記制御部は、自装置が設置されている場所が所定条件を満たすと判別したときには、前記送信部に、情報を外部に送信させる
請求項２記載の照明装置。
【請求項９】
前記送信部が外部に送信する情報は、自装置が設置されている場所を示す避難場所情報を含む
請求項８記載の照明装置。
【請求項１０】
請求項９記載の照明装置を含む照明システムであって、
前記所定条件は、人の避難先として満たされるべき条件であり、
前記照明システムは更に、前記照明装置から送信された避難場所情報を受信した場合に、当該照明装置の方へと人を誘導する誘導装置を備える
照明システム。
【請求項１１】
前記誘導装置は、
前記避難場所情報を受信する受信部と、
自装置が設置されている地域に関する情報である地域情報を取得する地域情報取得部と、
前記避難場所情報と、前記地域情報とに基づいて、自装置が設置されている地点から前記避難場所情報が示す場所に向かう避難経路を選定する選定部と、
前記選定部の選定結果に応じて、人を誘導するための制御を行う誘導制御部とを備える
請求項１０記載の照明システム。
【請求項１２】
前記誘導装置は、発光部を備え、
前記誘導制御部は、前記選定部の選定結果に応じて発光態様を特定して、特定した発光態様で前記誘導装置の前記発光部を発光させる
請求項１１記載の照明システム。
【請求項１３】
前記誘導装置は、発光部を備え、
前記誘導制御部は、前記誘導装置の前記発光部の位置を、前記選定部の選定結果に応じて変化させる
請求項１１記載の照明システム。
【請求項１４】
前記誘導装置は、複数の発光部を備え、
前記誘導制御部は、前記選定部の選定結果に応じて、前記誘導装置の複数の発光部のうち一部の発光部のみを選択的に発光させるよう制御する
請求項１１記載の照明システム。
【請求項１５】
前記誘導装置は、複数の発光部を備え、
前記誘導制御部は、
前記受信部が前記避難場所情報を受信したときには、前記選定部の選定結果に応じて前記誘導装置の前記複数の発光部各々の発光態様を特定して、特定した発光態様で前記誘導装置の前記発光部を発光させ、
前記受信部が前記避難場所情報を受信しないときには、前記誘導装置の前記複数の発光部を、交通信号機として機能させるよう制御する
請求項１１記載の照明システム。
【請求項１６】
前記誘導装置は、
災害関連情報を受信するための受信部と、
鉛直方向に列設された複数の発光部と、
災害関連情報に基づいて災害の影響を受ける高さを判定した結果と、前記複数の発光部各々の位置の高さとに基づいて、前記複数の発光部各々の点消灯を制御する発光部列制御部とを備える
請求項１１記載の照明システム。
【請求項１７】
前記誘導装置は、
電池を備え、移動し得る移動体である
請求項１１記載の照明システム。
【請求項１８】
発光部と、
災害の際の避難場所を示す避難場所情報を受信する受信部と、
自装置が設置されている地域に関する情報である地域情報を取得する地域情報取得部と、
前記避難場所情報と、前記地域情報とに基づいて、自装置が設置されている地点から前記避難場所情報が示す場所に向かう避難経路を選定する選定部と、
前記選定部の選定結果に応じて、人を誘導するために前記発光部の点消灯に係る制御を行う誘導制御部とを備える
誘導装置。
【請求項１９】
前記選定部は、互いに異なる避難場所を示す複数の避難場所情報が前記受信部により受信された場合には、いずれか１つの避難場所を特定し、自装置が設置されている地点から特定された当該避難場所に向かう避難経路を選定する
請求項１８記載の誘導装置。
【発明の詳細な説明】
【技術分野】
【０００１】
本発明は、照明制御技術に関し、特に災害に対応して人の誘導のために発光を制御する照明装置及び照明システムに関する。
【背景技術】
【０００２】
従来、火災等の異常を検出して警報する警報器と連動して照明動作を実行する照明装置が知られている（特許文献１参照）。また、地震発生の通知を受信して建物に設置された照明機器を点灯させるシステムが知られている（特許文献２参照）。
【先行技術文献】
【特許文献】
【０００３】
【特許文献１】特開２０１１−２２１７３６号公報
【特許文献２】特開２００７−１５７４９１号公報
【発明の概要】
【発明が解決しようとする課題】
【０００４】
上述の技術は、地震通知の受信や異常検出によって地震、火災等の発生を検知したときに照明を点灯等する技術であるにすぎないため、地震、火災等の発生という事象を即座に知るのに有用であるものの、地震、火災等の発生時に人の誘導を行うために有用であるとは限らない。
【０００５】
そこで、本発明は、災害時に人を誘導するために有用な照明装置、及び当該照明装置と他装置から成る照明システムを提供することを目的とする。
【課題を解決するための手段】
【０００６】
本発明の一態様に係る照明装置は、発光部と、自装置が設置されている場所に関する情報である環境情報を取得する取得部と、災害に関する災害情報を受信するための受信部と、前記受信部により前記災害情報が受信された場合に、前記取得部により取得された前記環境情報に基づき、自装置が設置されている場所が所定条件を満たすか否かを判別して、判別結果に応じて前記発光部の点消灯に係る制御を行う制御部とを備える照明装置である。
【０００７】
また、前記制御部は、自装置が設置されている場所が、前記所定条件を満たすと判別したときには前記発光部を特定態様で発光させ、前記所定条件を満たさないと判別したときには前記発光部を消灯させるように、点消灯に係る前記制御を行うこととしてもよい。
【０００８】
また、前記災害情報は、津波に関する情報であり、前記環境情報は、前記場所の高度に関する情報を含み、前記制御部が判別に用いる前記所定条件は、津波が到達しない高度の領域を含む場所であるという条件であることとしてもよい。
【０００９】
また、前記災害情報は、津波の位置に関する位置情報と津波の強度に関する強度情報とを含み、前記制御部は、自装置が設置されている場所が所定条件を満たすと判別したときにおいて、前記位置情報、前記強度情報及び前記環境情報に基づいて発光態様を特定し、特定した発光態様で前記発光部を発光させることとしてもよい。
【００１０】
また、前記災害情報は、災害に関する位置情報を含み、前記制御部は、前記位置情報にも基づいて前記判別を行うこととしてもよい。
【００１１】
また、前記災害情報は、災害に関する強度情報を含み、前記制御部は、前記強度情報にも基づいて前記判別を行うこととしてもよい。
【００１２】
また、前記災害情報は、災害に関する時間情報を含み、前記制御部は、前記発光部を発光させるときに、前記時間情報に基づいて特定した発光態様で発光させることとしてもよい。
【００１３】
また、更に、情報を送信するための送信部を備え、前記制御部は、自装置が設置されている場所が所定条件を満たすと判別したときには、前記送信部に、情報を外部に送信させることとしてもよい。
【００１４】
また、前記送信部が外部に送信する情報は、自装置が設置されている場所を示す避難場所情報を含むこととしてもよい。
【００１５】
また、本発明の一態様に係る照明システムは、前記照明装置を含む照明システムであって、前記所定条件は、人の避難先として満たされるべき条件であり、前記照明システムは更に、前記照明装置から送信された避難場所情報を受信した場合に、当該照明装置の方へと人を誘導する誘導装置を備える照明システムである。
【００１６】
また、前記誘導装置は、前記避難場所情報を受信する受信部と、自装置が設置されている地域に関する情報である地域情報を取得する地域情報取得部と、前記避難場所情報と、前記地域情報とに基づいて、自装置が設置されている地点から前記避難場所情報が示す場所に向かう避難経路を選定する選定部と、前記選定部の選定結果に応じて、人を誘導するための制御を行う誘導制御部とを備えることとしてもよい。
【００１７】
また、前記誘導装置は、発光部を備え、前記誘導制御部は、前記選定部の選定結果に応じて発光態様を特定して、特定した発光態様で前記誘導装置の前記発光部を発光させることとしてもよい。
【００１８】
また、前記誘導装置は、発光部を備え、前記誘導制御部は、前記誘導装置の前記発光部の位置を、前記選定部の選定結果に応じて変化させることとしてもよい。
【００１９】
また、前記誘導装置は、複数の発光部を備え、前記誘導制御部は、前記選定部の選定結果に応じて、前記誘導装置の複数の発光部のうち一部の発光部のみを選択的に発光させるよう制御することとしてもよい。
【００２０】
また、前記誘導装置は、複数の発光部を備え、前記誘導制御部は、前記受信部が前記避難場所情報を受信したときには、前記選定部の選定結果に応じて前記誘導装置の前記複数の発光部各々の発光態様を特定して、特定した発光態様で前記誘導装置の前記発光部を発光させ、前記受信部が前記避難場所情報を受信しないときには、前記誘導装置の前記複数の発光部を、交通信号機として機能させるよう制御することとしてもよい。
【００２１】
また、前記誘導装置は、災害関連情報を受信するための受信部と、鉛直方向に列設された複数の発光部と、災害関連情報に基づいて災害の影響を受ける高さを判定した結果と、前記複数の発光部各々の位置の高さとに基づいて、前記複数の発光部各々の点消灯を制御する発光部列制御部とを備えることとしてもよい。
【００２２】
また、前記誘導装置は、電池を備え、移動し得る移動体であることとしてもよい。
【００２３】
また、本発明の一態様に係る誘導装置は、発光部と、災害の際の避難場所を示す避難場所情報を受信する受信部と、自装置が設置されている地域に関する情報である地域情報を取得する地域情報取得部と、前記避難場所情報と、前記地域情報とに基づいて、自装置が設置されている地点から前記避難場所情報が示す場所に向かう避難経路を選定する選定部と、前記選定部の選定結果に応じて、人を誘導するために前記発光部の点消灯に係る制御を行う誘導制御部とを備える誘導装置である。
【００２４】
また、前記選定部は、互いに異なる避難場所を示す複数の避難場所情報が前記受信部により受信された場合には、いずれか１つの避難場所を特定し、自装置が設置されている地点から特定された当該避難場所に向かう避難経路を選定することとしてもよい。
【発明の効果】
【００２５】
本発明の一態様に係る照明装置等は、災害時における人の誘導を可能にする。
【図面の簡単な説明】
【００２６】
【図１】実施の形態に係る照明システムの一例を示す概略図である。
【図２】照明装置及び誘導装置についての機能ブロック図である。
【図３】災害情報のデータ構成及び内容例を示す図である。
【図４】環境情報のデータ構成及び内容例を示す図である。
【図５】災害関連情報のデータ構成及び内容例を示す図である。
【図６】地域情報のデータ構成及び内容例を示す図である。
【図７】照明装置が行う災害情報受信制御処理を示すフローチャートである。
【図８】誘導装置が行う災害関連情報受信制御処理を示すフローチャートである。
【発明を実施するための形態】
【００２７】
以下、本発明の実施の形態について、図面を参照しながら説明する。なお、ここで示す実施の形態は、いずれも本発明の好ましい一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、本発明の最上位概念を示す独立請求項に記載されていない構成要素については、任意に付加可能な構成要素である。また、各図は、模式図であり、必ずしも厳密に図示されたものではない。
【００２８】
（構成）
以下、本発明の一実施態様である照明システム１０について説明する。
【００２９】
図１は、実施の形態に係る照明システム１０の一例を示す概略図である。
【００３０】
照明システム１０は、概ね、災害時に気象庁等から災害情報を送信し、これを災害時の避難場所等に設置された照明装置で受信して必要な情報を誘導装置に伝達することで、照明装置及び誘導装置が人の誘導のために機能するように構成されたシステムである。
【００３１】
ここでは、災害の例として主に津波を取り上げて説明するが、地震、竜巻、洪水、局地的豪雨、土砂崩れ、火災その他の災害の場合においても、照明システム１０は、津波の場合と同様に人の誘導のために有効に機能する。
【００３２】
照明システム１０は、一例として、図１に示すように、気象庁等における災害情報の送信装置１１と、通信衛星１２と、照明装置１００ａ〜１００ｅと、誘導装置２００ａ〜２００ｅとを備える。
【００３３】
ここで、送信装置１１は、気象庁、自治体等で災害発生時又は災害発生予測段階において知得されている災害の位置、強度（程度）、発生時間に関する情報を、予め定められた形式の災害情報とした上で、災害の対象となる地域に向けて、通信衛星１２を介して無線送信する装置である。なお、災害の位置、強度、発生時間に関する情報は、例えば津波が到来する位置範囲、津波の高さ、津波が到来する予想時刻等である。
【００３４】
照明装置１００ａ〜１００ｅは、災害時の避難場所としての候補地に設置され、その設置場所が避難場所となるべき場合において、その避難場所への誘導を行うために発光に係る制御や誘導装置２００ａ〜２００ｅへの情報の伝達等を行う装置である。図１の例では、照明装置１００ａ、１００ｂは、それぞれ津波からの避難場所となり得るような比較的高く堅牢なビル９０ａ、９０ｂの上部に設置されており、照明装置１００ｃ〜１００ｅは、高台に設置されている。
【００３５】
また、誘導装置２００ａ〜２００ｅは、道路、公園、家屋等に設置され、照明装置１００ａ〜１００ｅからの情報を受信し、この情報に基づいて避難場所への誘導を行うために発光に係る制御等を行う装置である。
【００３６】
図１の例では、誘導装置２００ａは、道路に設置された、交通信号機と一体型の装置であり、誘導用の発光のための発光部２０４ａを有する。誘導装置２００ｂは、道路や公園等に設置された街灯に誘導用の発光のための発光部２０４ｂを付加して構成された装置である。誘導装置２００ｃは、道路や公園等に設置された街灯に、街灯の光源としても機能する誘導用の発光のための発光部２０４ｃが一体化した装置である。また、誘導装置２００ｄは、道路や公園等に設置された街灯に、街灯の光源としても機能する誘導用の発光のための発光部２０４ｄ１が一体化したものである。誘導装置２００ｄは、更に街灯の柱の周囲に付加された誘導用の発光のための発光部群２０４ｄ２と街灯の柱の鉛直方向に沿って列設された複数の発光部群２０４ｄ３とを備える。
【００３７】
また、誘導装置２００ｅは、家屋内に設置された照明器具と一体型の装置である。
【００３８】
以下、照明システム１０においてそれぞれビルの上部に設置された２台の照明装置１００ａ、１００ｂ及び道路等に設置された１台の誘導装置２００ｄに注目して、具体的な構成について説明する。
【００３９】
図２は、照明装置１００ａ、１００ｂ及び誘導装置２００ｄについての機能ブロック図である。
【００４０】
照明装置１００ａは、光源としてのＬＥＤ（Light Emitting Diode）等と光源の点消灯に係る制御回路と通信回路と電源回路と入力装置と記憶装置とプロセッサとを備え、災害時に一定条件下で発光して夜間でも人に視認される構成を有する装置である。
【００４１】
この照明装置１００ａは、災害情報受信制御処理（後述）を実行するものであり、機能面では、図２に示すように、取得部１０１ａ、受信部１０２ａ、発光部１０３ａ、送信部１０４ａ及び制御部１０５ａを含んで構成される。
【００４２】
ここで、取得部１０１ａは、キーボード、ポインティングデバイス等の入力装置を介して設置場所に関する情報である環境情報の入力を受け付けて、不揮発性メモリ、ハードディスク装置等の記憶装置に環境情報を格納することで保持する機能を有する。
【００４３】
受信部１０２ａは、通信回路により実現され、外部から無線送信される災害情報を受信する機能を有する。
【００４４】
発光部１０３ａは、複数のＬＥＤ等からなる光源及び点消灯の制御回路で実現され、複数の発光パターンで発光し得る機能を有する。複数の発光パターンの例としては、例えばA秒点灯させB秒消灯させることを繰り返す発光パターンにおけるA、Bの少なくとも一方の値を互い異ならせた複数の発光パターンが挙げられる。また、例えば、相互に発光色を異ならせた複数の発光パターンが挙げられる。
【００４５】
送信部１０４ａは、通信回路で実現され、災害情報に基づいて生成された災害関連情報を無線送信するための機能を有する。なお、この無線送信は、照明装置１００ａが設置された場所から一定範囲内（例えば数十Ｋｍ内）に所在する誘導装置に送信できる程度の出力で実行される。
【００４６】
また、制御部１０５ａは、取得部１０１ａにより保持された環境情報と受信部１０２ａにより受信された災害情報とに基づいて、所定条件が満たされるか否かを判別し、判別結果に応じて制御回路を介して発光部１０３ａの点消灯に係る制御を行う機能を担う。また、その環境情報と災害情報とに基づいて所定条件が満たされるか否かの判別結果に応じて、送信部１０４ａに災害関連情報を送信させるか否かに係る制御を行う機能も有する。災害関連情報を送信させる場合には、制御部１０５ａは、災害情報に基づいて災害関連情報を生成し、この際に災害関連情報には、照明装置１００ａの設置場所つまり避難場所を示す避難場所情報を含ませる。
【００４７】
なお、取得部１０１ａにおける、環境情報を受け付けて記憶装置に格納することで保持する機能や、制御部１０５ａの各機能は、メモリ等の記憶装置に格納された制御プログラムをプロセッサが実行することで実現されるものである。また、照明装置１００ａの電源回路は、電池又は外部電源からの電力を照明装置１００ａ内の各回路に供給するものであり、例えば、停電時においては電池からの電力を使用するように構成されてもよい。ここで、電池としては、例えば、内蔵電池、蓄電池、太陽電池等が用いられる。また電源回路は、地震の振動検出機構により一定以上の振動が検出された時に電池からの電力を使用するように構成されていてもよい。
【００４８】
また、照明装置１００ｂにおける取得部１０１ｂ、受信部１０２ｂ、発光部１０３ｂ、送信部１０４ｂ及び制御部１０５ｂは、それぞれ照明装置１００ａにおける取得部１０１ａ、受信部１０２ａ、発光部１０３ａ、送信部１０４ａ及び制御部１０５ａと同機能である。
【００４９】
誘導装置２００ｄは、光源としてのＬＥＤ等と光源の点消灯に係る制御回路と通信回路と電源回路と記憶装置とプロセッサとを備え、災害時に発光して夜間でも人を避難場所へ誘導し得る構成を有する装置である。
【００５０】
この誘導装置２００ａは、災害関連情報受信制御処理（後述）を実行するものであり、機能面では図２に示すように、地域情報取得部２０１ｄ、受信部２０２ｄ、選定部２０３ｄ、発光部２０４ｄ、誘導制御部２０５ｄ、発光部列制御部２０６ｄを含んで構成される。
【００５１】
ここで、地域情報取得部２０１ｄは、有線又は無線接続された外部ネットワークから通信回路を介し、誘導装置２００ｄが設置されている地域に関する情報である地域情報を取得して、不揮発性メモリ等の記憶装置に地域情報を格納することで保持する機能を有する。
【００５２】
受信部２０２ｄは、通信回路により実現され、照明装置１００ａ、１００ｂから無線送信される災害関連情報を受信する機能を有する。
【００５３】
選定部２０３ｄは、記憶装置に格納されている地域情報と、受信部２０２ｄにより受信された災害関連情報に含まれる避難場所情報とに基づいて、誘導装置２００ｄの設置されている地点から避難場所に向かう誘導経路（避難経路）を選定する機能を有する。
【００５４】
発光部２０４ｄは、上述した発光部２０４ｄ１、発光部群２０４ｄ２及び発光部群２０４ｄ３を含み、これらは複数のＬＥＤ等からなる光源及び点消灯の制御回路で実現され、複数の発光パターンで発光し得る機能を有する。
【００５５】
誘導制御部２０５ｄは、選定部２０３ｄが誘導経路を選定したことに対応して発光部２０４ｄ１の発光に係る制御を行い、選定された誘導経路に応じた発光パターンで発光部群２０４ｄ２を発光させる制御を行う機能を有する。
【００５６】
また、発光部列制御部２０６ｄは、受信部２０２ｄにより受信された災害関連情報に基づいて、発光部群２０４ｄ３の発光に係る制御を行う機能を有する。
【００５７】
なお、地域情報取得部２０１ｄ、選定部２０３ｄ、誘導制御部２０５ｄ及び発光部列制御部２０６ｄの各機能は、メモリ等の記憶装置に格納された制御プログラムをプロセッサが実行することで実現されるものである。また、誘導装置２００ｄの電源回路は、電池２０７ｄ又は外部電源からの電力を誘導装置２００ｄ内の各回路に供給するものであり、停電時においては電池２０７ｄからの電力が使用されるように構成されている。電池２０７ｄは、例えば、内蔵電池、蓄電池、太陽電池等である。なお電源回路は、一定以上の振動が検出された時に電池２０７ｄからの電力を使用するように構成されていてもよい。
【００５８】
（データ）
以下、上述の構成を備える照明システム１０で用いられる各種情報（データ）について説明する。
【００５９】
図３は、災害情報のデータ構成及び内容例を示す図である。
【００６０】
災害情報５１０は、照明装置の受信対象となる、災害に関する一定形式の情報であり、災害種別５１１、位置情報５１２、強度情報５１３及び時刻情報５１４を含んで構成される。
【００６１】
ここで、災害種別５１１は、災害の種別が、津波、地震、竜巻、洪水、局地的豪雨、火災等のうちいずれであるかを示す情報である。
【００６２】
位置情報５１２は、災害の発生場所を示す情報であり、強度情報５１３は、災害の強度（例えば津波の高さ）を示す情報である。また、時刻情報５１４は、災害の発生時刻又は発生予想時刻（例えば津波の到来時刻）を示す情報である。津波についての強度は、津波の高さの程度以外にも、例えば津波の強さの程度（例えば圧力等）等を示すものとしてもよい。
【００６３】
なお、図３の内容例は、ｘｘ月ｘｘ日ｘｘ時ｘｘ分ｘｘ秒において高さ７ｍの津波がＡＢＣ地域沿岸に到来すると予想される場合に気象庁等から送信される災害情報の内容を示している。
【００６４】
図４は、環境情報のデータ構成及び内容例を示す図である。
【００６５】
環境情報５２０は、１台の照明装置が設置される場所（避難場所の候補地）についての一定形式の情報であり、名称５２１、位置情報５２２、高度情報５２３及び備考情報５２４を含んで構成される。
【００６６】
この環境情報５２０は、避難場所の候補地への照明装置の設置後において照明装置に入力され、また必要時（避難場所として機能し得ない条件が生じたとき等）にも更新されて照明装置に入力されるものである。そして、照明装置において点消灯の制御の前提としての判断材料（照明装置の設置場所が避難場所としての条件を満たすか否かの判断材料）として利用される。
【００６７】
ここで、名称５２１は、照明装置が設置される場所についての名称である。
【００６８】
位置情報５２２は、照明装置が設置される場所の位置を示す情報であり、例えば、経度及び緯度や行政区画、地番、住居表示等で表される。
【００６９】
高度情報５２３は、照明装置が設置される場所の高度を示す情報であり、例えば、避難場所の候補地としての複数階建てのビルについては避難可能な階層の高度範囲等で表される。
【００７０】
また、備考情報５２４は、照明装置が設置される場所について避難場所に選定できない日等の条件がある場合にその条件を表す情報である。
【００７１】
なお、図４の内容例は、照明装置が設置される場所が経度ｘｘ緯度ｘｘに位置するＸＹＺビルであり、そのＸＹＺビルで避難可能な階層は高度１００ｍ〜１３０ｍの範囲にあり、ＸＹＺビルはＡ月Ｂ日には避難場所として機能し得ないことを示している。
【００７２】
図５は、災害関連情報のデータ構成及び内容例を示す図である。
【００７３】
災害関連情報５３０は、誘導装置が受信できるように送信される、災害に関する一定形式の情報である。この災害関連情報５３０は、災害種別５３１、位置情報５３２、強度情報５３３及び時刻情報５３４を含み、一定の場合（災害関連情報が照明装置から送信される場合）には更に避難場所を示す避難場所情報５３５を含んで構成される。
【００７４】
ここで、災害種別５３１、位置情報５３２、強度情報５３３及び時刻情報５３４は、それぞれ上述した災害情報５１０における災害種別５１１、位置情報５１２、強度情報５１３及び時刻情報５１４と同種の情報である。
【００７５】
また、避難場所情報５３５は、災害関連情報５３０を送信する照明装置が設置されている場所である避難場所を示す情報であり、避難場所の名称や位置の情報を含む。
【００７６】
なお、図５の内容例は、ｘｘ月ｘｘ日ｘｘ時ｘｘ分ｘｘ秒において高さ７ｍの津波がＡＢＣ地域沿岸に到来すると予想され、避難場所として経度ｘｘ緯度ｘｘに位置するＸＹＺビルが機能していることを表している。
【００７７】
図６は、地域情報のデータ構成及び内容例を示す図である。
【００７８】
地域情報５４０は、誘導装置が設置された地域に関する情報であり、誘導装置において誘導経路の選定に際して参照される情報である。
【００７９】
具体的には、地域情報５４０は、地点５４１及びハザードマップ情報５４２を含んで構成される。
【００８０】
ここで、地点５４１は、誘導装置が設置された地点の位置を示す情報であり、例えば、経度及び緯度で表される。
【００８１】
また、ハザードマップ情報５４２は、誘導装置が設置された地点を含む地域の地図情報であり、一定強度の災害の影響を受けた場合に破壊される或いは通行困難になる等の被害が想定される場所を、他の場所と区別して表した情報である。
【００８２】
図６の内容例では、誘導装置が経度ｘｘ緯度ｘｘの地点に設置されており、その地点を含む地域にＡＢＣビルやＸＹＺビルが存在することを示しており、また、津波が到来した場合に海岸線に近い部分や橋が通行困難になる旨をＸマークで示している。
【００８３】
（動作）
以下、上述の構成を備え（図１、２参照）、上述の各種情報（図３〜６参照）を用いる照明システム１０の動作について、主に図７及び図８を用いて説明する。なお、ここでは、気象庁等から津波に係る災害情報の送信がなされた場合の照明装置１００ａ、１００ｂ及び誘導装置２００ｄの動作に特に着目して説明する。
【００８４】
前提として、図１に示すように照明装置１００ａ〜１００ｅは避難場所の各候補地に設置されていることとする。
【００８５】
災害発生時又は災害発生予測段階において、気象庁、自治体等において、例えば図３の内容例に示す災害情報を生成して送信装置１１から送信する。
【００８６】
この送信された災害情報は、通信衛星１２を介して、照明装置１００ａ〜１００ｅに受信される。
【００８７】
なお、ビル９０ａの上部に設置されている照明装置１００ａにおいては、設置に際して入力され、また随時更新されて入力された環境情報（例えば図４の内容例に示すもの）が、取得部１０１ａによって記憶装置に保持されている。
【００８８】
図７は、照明装置１００ａが行う災害情報受信制御処理を示すフローチャートである。
【００８９】
照明装置１００ａの制御部１０５ａは、受信部１０２ａにより災害情報が受信された場合には（ステップＳ１１）、取得部１０１ａにより保持されている環境情報を参照する（ステップＳ１２）。そして、災害情報と環境情報とに基づいて照明装置１００ａが設置されている場所が避難場所としての条件を満たすか否か、つまり避難場所として適切か不適切かを判別する（ステップＳ１３）。
【００９０】
この判別は、照明装置１００ａが設置されている場所が、災害の影響の中で、人の避難先（避難場所）として適切であるかを判別するために、予め定められた判別アルゴリズムに基づいてなされる。
【００９１】
この判別アルゴリズムとしては、例えば、次のものが挙げられる。災害情報中の位置情報５１２及び強度情報５１３と環境情報中の位置情報５２２とに基づき、照明装置１００ａの設置場所での津波の高さを算定し、環境情報中の高度情報５２３が示す高度の方が高ければ避難先として適切であると判別するアルゴリズムである。また、このアルゴリズムを、環境情報中の備考情報５２４が示す条件を踏まえて照明装置１００ａの設置場所が現在利用することが可能な状態にある場合にのみ避難先として適切であると、判別するように変形したアルゴリズムである。なお、この場合において避難場所として満たすべき条件は、現在利用可能でありかつ津波の影響を受けない高さを有することとなる。
【００９２】
なお、避難場所として適切かどうかの判断ができるように、避難場所に要求される所定条件に関する内容を予め環境情報の内容項目として適切に定め、これに合わせて判別アルゴリズムを定めておくとよい。なお、照明装置の運用に際しては、照明装置の設置時や、避難場所として適切かどうかが変化するような事象が生じた際に環境情報が適切に更新されるようにするとよい。
【００９３】
ステップＳ１３における判別の結果、照明装置１００ａが設置されている場所が避難場所として不適切と判別された場合には、制御部１０５ａは、災害情報が受信されるのを待つべくステップＳ１１の処理に戻る。即ち、避難場所として不適切と判別された場合においては、制御部１０５ａは、発光部１０３ａに発光させず（消灯させ）、送信部１０４ａに送信も行わせない。
【００９４】
ステップＳ１３における判別の結果、照明装置１００ａが設置されている場所が避難場所として適切と判別された場合には、制御部１０５ａは、災害情報に基づき発光態様を特定して発光部１０３ａに発光させるよう制御する（ステップＳ１４）。
【００９５】
この発光態様の特定は、災害情報中の位置情報５１２、強度情報５１３及び時刻情報５１４のうちの１つ以上に応じて、予め定められた複数の発光パターンのうちいずれかを選択的に適用すること等で行われる。例えば、災害情報中の時刻情報５１４に基づき、光源の点滅周期を異ならせた複数の発光パターンのうち、時刻情報５１４で示される津波の到来時刻が近くなるにつれて点滅周期の短いものを段階的に選択するようにして実現される。
【００９６】
また、例えば、発光部１０３ａが赤色から黄色までの複数色の発光が可能な光源を備えることとしてもよい。このとき、災害情報中の強度情報５１３で示される津波の高さが高いほど赤色に近い色で発光し、逆に津波の高さが低いほど黄色に近い色で発光するような発光パターンを適用することとしてもよい。
【００９７】
また、例えば、災害情報中の位置情報５１２で示される位置（位置の中心等）が照明装置１００ａの設置場所に近いほど赤色に近い色で発光し、逆に遠いほど黄色に近い色で発光するような発光パターンを適用することとしてもよい。
【００９８】
ステップＳ１４に続いて、制御部１０５ａは、環境情報及び災害情報に基づいて、避難場所情報を含む災害関連情報（図５参照）を生成して、送信部１０４ａを介して、外部に送信する（ステップＳ１５）。
【００９９】
なお、ステップＳ１４及びステップＳ１５は、逐次繰り返される。
【０１００】
これにより、照明装置１００ａは、設置場所が災害情報を受信した際に避難場所として適切であれば、避難場所に人を誘導するために継続的に発光し、また、避難場所の情報を、誘導装置に向けて繰り返し送信することとなる。従って、たとえ夜間に災害が発生しても、人は避難場所を視認でき避難を行うことができるようになる。
【０１０１】
また、ビル９０ｂの上部に設置されている照明装置１００ｂも、上述した照明装置１００ａと同様な動作を行う。
【０１０２】
次に、照明装置１００ａから送信された災害関連情報を受信した誘導装置２００ｄの動作について説明する。
【０１０３】
図８は、誘導装置２００ｄが行う災害関連情報受信制御処理を示すフローチャートである。
【０１０４】
誘導装置２００ｄにおいて、受信部２０２ｄにより災害関連情報が受信された場合には（ステップＳ２１）、発光部列制御部２０６ｄは、災害関連情報に基づいて、発光部２０４ｄのうち発光部群２０４ｄ３の発光態様を特定して発光させるよう制御する（ステップＳ２２）。
【０１０５】
この発光態様の特定は、災害関連情報中の位置情報５３２、強度情報５３３及び時刻情報５３４のうちの１つ以上に応じて、予め定められた複数の発光パターンのうちいずれかを選択的に適用することや、発光部群を構成する各発光部を選択的に発光させること等で行われる。例えば、災害情報中の強度情報５３３で示される津波の高さに応じて、鉛直方向に並ぶ発光部群２０４ｄ３の発光部各々のうち、その位置（高さ）が津波の高さより低いもののみを発光させ、他のものを消灯させるようにしてもよい。なお、津波の高さ自体の代わりに、津波の影響により浸水する高さを導出して用いてもよい。また、例えば、鉛直方向に並ぶ発光部群２０４ｄ３の発光部各々のうち、最下部の発光部から特定位置の発光部までの発光部群を発光させることとし、その特定位置として災害情報中の時刻情報５３４で示される津波の到来時刻が近くなるにつれて高い位置を定めるようにしてもよい。
【０１０６】
ステップＳ２２の次に、選定部２０３ｄは、災害関連情報中の避難場所情報５３５に基づいて１つの誘導経路（避難経路）を選定する（ステップＳ２３）。
【０１０７】
この誘導経路の選定は、誘導装置２００ｄが設置された地点とその地点を含む地域のハザードマップとを示す地域情報５４０（図６参照）を用いて、予め定められた経路選定アルゴリズムに基づいてなされる。ハザードマップ情報５４２は、道路、交差点等の各位置の情報を含んでおり、また、通行困難な場所の情報も含んでいる。従って、ダイクストラ法等を用いた経路選定アルゴリズムによって誘導装置２００ｄの設置位置と避難場所とを結ぶ複数の道路のうち、通行可能な道路を用いた最短経路を、１つの誘導経路として選定することができる。
【０１０８】
なお、誘導装置２００ｄが、複数の照明装置各々から災害関連情報を受信しているような場合には、避難場所は複数存在する。この場合に対応すべく、経路選定アルゴリズムは、避難場所毎に１つの誘導経路を選定し、最終的にその中で最短距離となる１つの誘導経路を選定するようなものであるとよい。
【０１０９】
例えば、図６のハザードマップ情報５４２に「ＸＹＺビル」として示すビル９０ａに設置された照明装置１００ａと「ＡＢＣビル」として示すビル９０ｂに設置された照明装置１００ｂとの両方から誘導装置２００ｄが災害関連情報を受信したとする。この場合には、選定部２０３ｄは、例えば、ハザードマップ情報５４２で示されるように海岸の橋が通行困難であるため、誘導装置の設置位置（図６中の黒丸）から避難場所としての「ＸＹＺ」ビルに向かう１つの誘導経路を選定する。
【０１１０】
なお、複数の照明装置から災害関連情報を受信することにより複数の避難場所情報を取得した場合において、誘導装置の設置位置から最も近い避難場所を選定し、それからその避難場所に向かう１つの誘導経路を所定の経路選定アルゴリズムによって行うこととしてもよい。ここで、最も近い避難場所の選定の代わりに、予め定められた優先順位に従って１つの避難場所を選定することとしてもよい。なお、経路選定アルゴリズムは、ハザードマップ情報以外に、予め災害のシミュレーションを行った結果のデータや、その他の入力情報に基づいて経路選定を行うこととしてもよい。
【０１１１】
選定部２０３ｄにより１つの誘導経路が選定された後、誘導制御部２０５ｄは、選定された誘導経路に応じて発光態様を特定して、発光部２０４ｄを構成する発光部２０４ｄ１及び発光部群２０４ｄ２を発光させるよう制御する（ステップＳ２４）。
【０１１２】
この制御において、誘導制御部２０５ｄは、災害関連情報における時刻情報５３４に基づいて、津波が到来するまでの時間に応じて発光部２０４ｄ１の発光態様を変化させる。より具体的には、１つの誘導経路が特定されると、誘導制御部２０５ｄは発光部２０４ｄ１を発光させ、例えば津波の到来時刻が近くなるにつれてその発光を赤色に近い色とし、逆に津波の到来時刻までが長いほど、黄色に近い色とするよう制御する。
【０１１３】
また、誘導制御部２０５ｄは、街灯の柱の周囲に並んで配された複数の発光部からなる発光部群２０４ｄ２のうち、避難場所への誘導経路に向かう方向側の発光部のみを発光させ、他の発光部を消灯するよう制御する。なお、人を誘導経路に沿って進ませるために有効な発光態様であれば他の方法で制御してもよく、例えば、避難場所への誘導経路に向かう方向へと周期的に発光場所が動いて見えるように各発光部を順次点灯するよう制御してもよい。
【０１１４】
以上、特に照明装置１００ａ、１００ｂ及び誘導装置２００ｄに着目して説明したが、照明装置１００ｃ〜１００ｅ、誘導装置２００ａ〜２００ｃ、２００ｅについても基本的に同様である。
【０１１５】
高台に設置された照明装置１００ｃ〜１００ｅ（図１参照）は、それぞれ高さが異なる地点に設置されている。このため、例えば予測される津波の高さが照明装置１００ｅの設置地点の高さより高く、照明装置１００ｄ及び照明装置１００ｃより低いのであれば、上述のステップＳ１３での判別の結果として、照明装置１００ｃと照明装置１００ｄとが発光し、照明装置１００ｅは発光しないこととなる。即ち、設置地点の高さを異ならせて複数の照明装置を設置すれば、予測される津波の高さが、点灯か非点灯によって視覚的に表わされることとなり、危険範囲を人に伝えることができる。
【０１１６】
なお、照明装置１００ａは、設置場所であるビル９０ａが、避難場所としての条件を満たすと判別した場合に発光部１０３ａを発光させるのに加えて、照明装置１００ａの外部の照明機器類を発光させるための制御信号を伝達することとしてもよい。これにより、例えば、ビル９０ａの各フロアの照明９２ａを特定の発光パターンで発光させることや、津波避難ビル表示マーク９１ａを特定の発行パターンで発光させることができる。
【０１１７】
このように、照明システム１０によれば、津波等の災害時において、たとえ夜間であろうとも、適切に人を誘導することができる。
【０１１８】
（変形例等）
以下、誘導装置２００ｄと発光部に関して異なる形態を有する誘導装置２００ａ〜２００ｃ、２００ｅについて、及び、上述した照明システム１０の変形例について説明する。
【０１１９】
誘導装置２００ａ〜２００ｃ、２００ｅは、柱等に沿って鉛直方向に列設された発光部群に相当する構成要素を有さない例である。
【０１２０】
そして誘導装置２００ａ〜２００ｃ、２００ｅは、誘導装置２００ｄの地域情報取得部２０１ｄ、受信部２０２ｄ、選定部２０３ｄ、誘導制御部２０５ｄ、電池２０７ｄと同様の構成を備えるが、発光部列制御部２０６ｄに相当する構成は有しない。従って、誘導装置２００ａ〜２００ｃ、２００ｅは、災害関連情報を受信すると設置位置から災害関連情報に示される避難場所情報５３５に向かう誘導経路を選定して、選定結果に応じた発光態様で、発光部２０４ａ〜２０４ｃ、２０４ｅを発光させる。
【０１２１】
例えば、道路に設置された交通信号機と一体の誘導装置２００ａ（図１参照）では、信号灯と同じ側から見て、誘導経路に進む方向が見えるのであれば発光部２０４ａを青色で発光させ、誘導経路と異なる方向が見えるのであれば発光部２０４ａを赤色で発光させる。また、発光部２０４ａを複数のＬＥＤ等で構成し文字列の表示を可能としたものであれば、誘導経路に進む方向が見える側に「ススメ」と表示し、これと誘導経路が逆方向であれば「モドレ」と表示するよう発光制御してもよい。
【０１２２】
なお、誘導装置２００ａにおいて、発光部２０４ａが交通信号機としての信号灯も兼ねることとしてもよい。この場合、災害関連情報（避難場所情報）を受信するまでは、外部の交通信号網（交通信号制御装置）と同期する等の予め定められた信号機制御アルゴリズムに従って交通信号器としての信号灯として機能し、災害関連情報を受信してからは誘導経路の方向へ向かう側から見えるのであれば青色の信号を点灯させ、それ以外の方向へ向かう側から見えるのであれば赤色の信号を点灯させることとしてもよい。
【０１２３】
また、街灯に誘導用の発光のための発光部２０４ｂを付加して構成された誘導装置２００ｂでは、例えば、誘導経路に向かう方向から見える側に他の側より明るい光を発するように発光制御する。
【０１２４】
また、街灯の光源としても機能する発光部２０４ｃを含む誘導装置２００ｃは、例えば、街灯の柱部分が発光部２０４ｃを回動可能に軸支し、誘導経路に向かう方向に発光部２０４ｃが動くように制御することとしてもよい。これは、回動軸から発光部２０４ｃの中心又は重心へ向かう方向を、誘導経路に向かう方向と略一致させるような制御による。更に、発光部２０４ｃが、通常時は一般的な街灯と同じように発光し、災害関連情報を受信した場合（非通常時）に特定色（例えば赤色）で発光するように制御してもよい。
【０１２５】
また、家屋内に設置された照明器具と一体型である誘導装置２００ｅでは、例えば、誘導経路に向かう方向を明るく発光させるように発光部２０４ｅを制御する。また、発光部２０４ｅは通常時において照明器具としての光源としても機能するものとしてもよく、災害関連情報を受信した場合（非通常時）に特定色（例えば赤色）で発光するように制御してもよい。これにより、家屋内に居る人に避難の必要性を伝えることができる。
【０１２６】
なお誘導装置２００ｅは、照明器具又はその取り付け用部材に、外付けアタッチメントとして付加するものであってもよいし、家屋内の他の場所に設置されるものであってもよい。照明器具又はその取り付け用部材にＵＳＢ（Universal Serial Bus）ポートが備えられている場合に対応して、誘導装置２００ｅは、ＵＳＢポートに装着するインタフェースを備えることとしてもよい。また、誘導装置２００ｅは、電池を電源として機能することにより人に携帯され移動するような携帯型装置や自動車に装備された車載装置等であってもよい。
【０１２７】
また、誘導装置２００ａ〜２００ｄは、受信した災害関連情報を、無線送信する送信部を備えることとしてもよい。この送信は、一定範囲内（例えば数Ｋｍ内）に所在する他の誘導装置に送信できる程度の出力で実行される。これにより、誘導装置は、照明装置から送信された、避難場所情報を含む災害関連情報を、直接又は他の誘導装置の中継を経由して、受信することができるようになる。
【０１２８】
なお、誘導装置は、気象庁等からの、避難場所情報を含まない災害関連情報を受信できるようにしてもよい。例えば、照明システム１０において、災害情報と災害関連情報との送信形式（送信周波数、変復調方式等）を一致させるよう定めておけば、気象庁等が災害情報を送信すると、それを誘導装置は、避難場所情報を含まない災害関連情報として受信することとなる。そして、誘導装置２００ｄが避難場所情報を含まない災害関連情報を受信した場合には、上述した発光部列制御部２０６ｄの働きにより、津波の高さを反映するよう発光部群２０４ｄ３を発光させることができる。
【０１２９】
また、誘導装置２００ａ〜２００ｄは、受信した災害関連情報又は選定した誘導経路を示す情報を、スマートフォンやタブレット等の携帯端末やカーナビゲーション装置で受信できる形式で無線送信する送信部を備えることとしてもよい。これにより、人にとって災害の情報や避難経路の情報の入手が容易となり得る。
【０１３０】
また、誘導装置２００ａ〜２００ｄは、日中における発光部の視認性を向上させるために発光部の上を覆うような部材（傘等）を有することとしてもよい。また、交通信号機や街灯等と一体型ではなく、災害時専用の装置（災害関連情報を受信するまでは点灯しない装置）であることとしてもよい。
【０１３１】
また、誘導装置２００ａ〜２００ｅは、災害関連情報を受信した場合に、音を出力する機構（音声出力部）を有することとしてもよく、災害関連情報の内容に応じて、出力音を変化させることとしてもよい。なお、災害関連情報の内容（強度情報、避難場所情報等）に基づいて、予め定められた２つ以上の音声パターンから、１つの音声パターンを選択して出力するようにしてもよい。音の出力は、例えば、避難場所に向かう経路に誘導する内容の音声メッセージの出力であってもよい。
【０１３２】
高台に設置された照明装置１００ｃ〜１００ｅ（図１参照）の発光部が、通常時は高台における石灯篭等の光源として機能し、災害情報を受信した場合（非通常時）には、図７のステップＳ１２〜Ｓ１５の動作を行うようにしてもよい。
【０１３３】
また、照明装置１００ａの取得部１０１ａが、通信回路を介して、設置場所となるビルに係るビル管理システム等の外部ネットワーク上のシステム機器から環境情報を受信して記憶装置に格納するものであるとしてもよい。また、各発光部の光源は、ＬＥＤに限らず、有機ＥＬ（electroluminescence）等であることとしてもよい。
【０１３４】
（補足）
以上、照明システムの実施態様について説明したが、上述の実施態様は一例にすぎず、更に各種の変更が可能であることは言うまでもない。
【０１３５】
例えば、送信装置１１、通信衛星１２は、照明システム１０の外部であるとし、照明システムは、一定形式の災害情報を受信して稼動するよう構成されるものとしてもよい。
【０１３６】
なお、上述した災害情報受信制御処理及び災害関連情報受信制御処理（図７、図８に示す処理等）の全部又は一部は、各種機器類の機構（ハードウェア）により成されても、ソフトウェアにより、つまり各種機器類に含まれるプロセッサがメモリに記憶された制御プログラムを実行することにより、成されてもよい。また、その制御プログラムを記録媒体に記録して頒布や流通させてもよい。例えば、頒布された制御プログラムを機器類にインストールして、機器類のプロセッサに実行させることで、機器類に、災害情報受信制御処理或いは災害関連情報受信制御処理の全部又は一部の処理を行わせることが可能となる。
【０１３７】
その他、説明した実施形態に対して当業者が当然に思いつく各種変形を施して得られる形態、又は、実施形態で示した構成要素及び機能を任意に組み合わせることで実現される形態も本発明の範囲に含まれる。
【０１３８】
以下、本発明の一態様に係る照明装置の構成、変形態様及び効果について示す。
【０１３９】
本発明の一態様に係る照明装置は、発光部と、自装置が設置されている場所に関する情報である環境情報を取得する取得部と、災害に関する災害情報を受信するための受信部と、前記受信部により前記災害情報が受信された場合に、前記取得部により取得された前記環境情報に基づき、自装置が設置されている場所が所定条件を満たすか否かを判別して、判別結果に応じて前記発光部の点消灯に係る制御を行う制御部とを備える照明装置である。なお、点消灯に係る制御は、点灯状態から単に消灯状態にする制御、消灯状態から単に点灯状態にする制御、時間経過に応じて発光態様を変化させつつ発光させる制御、点滅するように発光させる制御等を含む。
【０１４０】
この構成により、設置場所の情報と災害情報とに基づいて点消灯に係る制御がなされるため、災害時における人の誘導の機能を発揮し得る。
【０１４１】
また、前記制御部は、自装置が設置されている場所が、前記所定条件を満たすと判別したときには前記発光部を特定態様で発光させ、前記所定条件を満たさないと判別したときには前記発光部を消灯させるように、点消灯に係る前記制御を行うこととしてもよい。
【０１４２】
これにより、所定条件として例えば避難場所として要求される条件を定めていたならば、照明装置の設置場所に誘導すべき場合において点灯するように制御がなされるため、災害時において夜間であっても人を適切に誘導し得る。
【０１４３】
また、前記災害情報は、津波に関する情報であり、前記環境情報は、前記場所の高度に関する情報を含み、前記制御部が判別に用いる前記所定条件は、津波が到達しない高度の領域を含む場所であるという条件であることとしてもよい。
【０１４４】
これにより、津波が到来する際に、照明装置の設置場所が、津波が到達しない高度の領域を含む場合には、適切に人をその設置場所へと誘導し得る。
【０１４５】
また、前記災害情報は、津波の位置に関する位置情報と津波の強度に関する強度情報とを含み、前記制御部は、自装置が設置されている場所が所定条件を満たすと判別したときにおいて、前記位置情報、前記強度情報及び前記環境情報に基づいて発光態様を特定し、特定した発光態様で前記発光部を発光させることとしてもよい。
【０１４６】
これにより、照明装置の設置場所が、津波が到達しない高度の領域を含む場合に、津波の位置及び強度に関連した発光態様で発光することで、人をその設置場所へと誘導することができる。
【０１４７】
また、前記災害情報は、災害に関する位置情報を含み、前記制御部は、前記位置情報にも基づいて前記判別を行うこととしてもよい。
【０１４８】
これにより、照明装置の設置場所が災害に関する位置に基づいて誘導先（避難場所）として適切か否かを判別し得るので、災害時に適切に人を誘導し得る。
【０１４９】
また、前記災害情報は、災害に関する強度情報を含み、前記制御部は、前記強度情報にも基づいて前記判別を行うこととしてもよい。
【０１５０】
これにより、照明装置の設置場所が災害の強度に基づいて誘導先（避難場所）として適切か否かを判別し得るので、災害時に適切に人を誘導し得る。
【０１５１】
また、前記災害情報は、災害に関する時間情報を含み、前記制御部は、前記発光部を発光させるときに、前記時間情報に基づいて特定した発光態様で発光させることとしてもよい。
【０１５２】
これにより、災害の時間に基づいて発光制御を行い得るので、災害の時間に関する情報を発光により人に視覚を通じて伝えることが可能となる。
【０１５３】
また、更に、情報を送信するための送信部を備え、前記制御部は、自装置が設置されている場所が所定条件を満たすと判別したときには、前記送信部に、情報を外部に送信させることとしてもよい。
【０１５４】
これにより、避難場所として要求される所定条件を定めておけば、照明装置の設置場所に誘導すべき場合において、外部に情報を送信するようになるため、必要時に避難誘導に関する情報の伝達を行い得る。
【０１５５】
また、前記送信部が外部に送信する情報は、自装置が設置されている場所を示す避難場所情報を含むこととしてもよい。
【０１５６】
これにより、照明装置の設置場所が災害に対して避難場所として機能する場合に限って避難場所の情報を外部装置に伝達することができるようになる。
【０１５７】
また、本発明の一態様に係る照明システムは、前記照明装置を含む照明システムであって、前記所定条件は、人の避難先として満たされるべき条件であり、前記照明システムは更に、前記照明装置から送信された避難場所情報を受信した場合に、当該照明装置の方へと人を誘導する誘導装置を備える照明システムである。
【０１５８】
これにより、照明装置が設置されている場所が、災害時において人の避難場所として適切な場所である場合に、誘導装置により人をその避難場所に誘導することが可能となる。
【０１５９】
また、前記誘導装置は、前記避難場所情報を受信する受信部と、自装置が設置されている地域に関する情報である地域情報を取得する地域情報取得部と、前記避難場所情報と、前記地域情報とに基づいて、自装置が設置されている地点から前記避難場所情報が示す場所に向かう避難経路を選定する選定部と、前記選定部の選定結果に応じて、人を誘導するための制御を行う誘導制御部とを備えることとしてもよい。
【０１６０】
これにより、誘導経路（避難経路）に応じて人を誘導することが可能となる。
【０１６１】
また、前記誘導装置は、発光部を備え、前記誘導制御部は、前記選定部の選定結果に応じて発光態様を特定して、特定した発光態様で前記誘導装置の前記発光部を発光させることとしてもよい。
【０１６２】
これにより、誘導経路（避難経路）に応じて発光がなされるため、避難経路へと夜間でも人を適切に誘導することが可能となる。
【０１６３】
また、前記誘導装置は、発光部を備え、前記誘導制御部は、前記誘導装置の前記発光部の位置を、前記選定部の選定結果に応じて変化させることとしてもよい。
【０１６４】
これにより、誘導経路（避難経路）に応じて発光部の位置を変化させるので、その位置を見た人は避難経路の方向を認識し得るようになる。
【０１６５】
また、前記誘導装置は、複数の発光部を備え、前記誘導制御部は、前記選定部の選定結果に応じて、前記誘導装置の複数の発光部のうち一部の発光部のみを選択的に発光させるよう制御することとしてもよい。
【０１６６】
これにより、誘導経路（避難経路）の方向等が発光位置によって人に認識されるようになる。
【０１６７】
また、前記誘導装置は、複数の発光部を備え、前記誘導制御部は、前記受信部が前記避難場所情報を受信したときには、前記選定部の選定結果に応じて前記誘導装置の前記複数の発光部各々の発光態様を特定して、特定した発光態様で前記誘導装置の前記発光部を発光させ、前記受信部が前記避難場所情報を受信しないときには、前記誘導装置の前記複数の発光部を、交通信号機として機能させるよう制御することとしてもよい。
【０１６８】
これにより、災害時には人の誘導のために機能し、災害時以外においては交通信号機として機能することが可能となる。
【０１６９】
また、前記誘導装置は、災害関連情報を受信するための受信部と、鉛直方向に列設された複数の発光部と、災害関連情報に基づいて災害の影響を受ける高さを判定した結果と、前記複数の発光部各々の位置の高さとに基づいて、前記複数の発光部各々の点消灯を制御する発光部列制御部とを備えることとしてもよい。
【０１７０】
これにより、津波による浸水の高さ等の災害による影響の程度を、人に認識させることが可能となる。
【０１７１】
また、前記誘導装置は、電池を備え、移動し得る移動体であることとしてもよい。
【０１７２】
これにより、誘導装置は移動中においても人を誘導することが可能となる。
【０１７３】
また、本発明の一態様に係る誘導装置は、発光部と、災害の際の避難場所を示す避難場所情報を受信する受信部と、自装置が設置されている地域に関する情報である地域情報を取得する地域情報取得部と、前記避難場所情報と、前記地域情報とに基づいて、自装置が設置されている地点から前記避難場所情報が示す場所に向かう避難経路を選定する選定部と、前記選定部の選定結果に応じて、人を誘導するために前記発光部の点消灯に係る制御を行う誘導制御部とを備える誘導装置である。
【０１７４】
これにより、避難場所までの経路に人を誘導することが可能となる。
【０１７５】
また、前記選定部は、互いに異なる避難場所を示す複数の避難場所情報が前記受信部により受信された場合には、いずれか１つの避難場所を特定し、自装置が設置されている地点から特定された当該避難場所に向かう避難経路を選定することとしてもよい。
【０１７６】
これにより、唯一の避難経路を特定して人を誘導するので、複数の避難経路に係る情報の錯綜による人の混乱を防ぐことが可能となる。
【符号の説明】
【０１７７】
１０  照明システム
１１  送信装置
１２  通信衛星
９０ａ、９０ｂ  ビル
１００ａ、１００ｂ、１００ｃ、１００ｄ、１００ｅ  照明装置
１０１ａ、１０１ｂ  取得部
１０２ａ、１０２ｂ  受信部
１０３ａ、１０３ｂ  （照明装置の）発光部
１０４ａ、１０４ｂ  送信部
１０５ａ、１０５ｂ  制御部
２００ａ、２００ｂ、２００ｃ、２００ｄ、２００ｅ  誘導装置
２０１ｄ  地域情報取得部
２０２ｄ  受信部
２０３ｄ  選定部
２０４ａ、２０４ｂ、２０４ｃ、２０４ｄ、２０４ｄ１、２０４ｅ（誘導装置の）発光部
２０４ｄ２、２０４ｄ３  発光部群
２０５ｄ  誘導制御部
２０６ｄ  発光部列制御部
２０７ｄ  電池
【図１】
2015090677.tif 000003
【図２】
2015090677.tif 000004
【図３】
2015090677.tif 000005
【図４】
2015090677.tif 000006
【図５】
2015090677.tif 000007
【図６】
2015090677.tif 000008
【図７】
2015090677.tif 000009
【図８】
2015090677.tif 000010